(57)【要約】      （修正有）【課題】コネクタとの接続を簡単にし、信号伝送品質を向上させた高周波デジタル信号ケーブルを提供する。【解決手段】ケーブル１内の複数の平行に配列された芯線１１外周には絶縁層１２が被覆され、複数の絶縁層１２外周には電磁干渉を遮蔽する遮蔽層１３が一層設置され、遮蔽層１３外周には保護層１４が被覆される。ケーブル１の扁平に配列された高周波信号線と高周波コネクタプラグとを接続する変換ボードにコネクタプラグの端子群に対応して配置された表裏二面の第一接点群、ジャンパ線群、及び第二接点群を配置し、第二接点群はボードを貫通する導電孔を通して延長して表面側のジャンパ線に接続し、これら第一表面側の接点群、ジャンパ線群をリード接点群に接続して、ケーブル芯線に対応して接続する。これにより、ケーブル芯線とボード上の接点との溶接は、片面溶接として自動化できる。【選択図】図１
0003144001.tif 000002
【実用新案登録請求の範囲】
【請求項１】
ケーブルの扁平配列の高周波信号線と高周波プラグの変換ボードの片面に配列された接点群と接続される高周波デジタル信号ケーブルにおいて、
前記ケーブルは、複数の平行に配列された芯線を具え、前記各芯線外周には絶縁層が被覆され、前記複数の絶縁層外周には電磁干渉を遮蔽する遮蔽層が一層設置され、前記遮蔽層外周には保護層が被覆されたことを特徴とする高周波デジタル信号ケーブル。
【請求項２】
前記ケーブルの芯線は、１９本設けられ、ＨＤＭＩコネクタの雄プラグに対応付けられて接続されることを特徴とする請求項１記載の高周波デジタル信号ケーブル。
【請求項３】
前記ケーブルの芯線は、２０本設けられ、ディスプレイポートコネクタの雄プラグに対応付けられて接続されることを特徴とする請求項１記載の高周波デジタル信号ケーブル。
【請求項４】
前記ケーブルの芯線は、２４本以上設けられ、ＤＶＩに関連する規格のコネクタの雄プラグに対応付けられて接続されることを特徴とする請求項１記載の高周波デジタル信号ケーブル。
【請求項５】
前記ケーブルの芯線は、可撓性を有するアルミニウム、鉄または銅材料からなることを特徴とする請求項１記載の高周波デジタル信号ケーブル。
【請求項６】
前記ケーブルの絶縁層は、熱可塑性エラストマーまたはポリエチレン材料からなることを特徴とする請求項１記載の高周波デジタル信号ケーブル。
【請求項７】
前記ケーブルの遮蔽層は、アルミ箔の被覆、銅線の巻設または銅線の編織によって構成されることを特徴とする請求項１記載の高周波デジタル信号ケーブル。
【請求項８】
前記ケーブルの保護層は、ポリ塩化ビニル、ポリエチレン、ポリエチレンテレフタレートまたはポリピレン材料からなることを特徴とする請求項１記載の高周波デジタル信号ケーブル。
【請求項９】
前記ケーブルの芯線外周の絶縁層の隣には、遮蔽層と接触するアース導電線が設けられることを特徴とする請求項１記載の高周波デジタル信号ケーブル。
【請求項１０】
前記アース導電線は、錫メッキ銅線、銅線または銀メッキ線からなることを特徴とする請求項９記載の高周波デジタル信号ケーブル。
【請求項１１】
前記ケーブルの芯線は、前記プラグの変換ボード上に設置されたリード接点群に対応付けられて接続されることを特徴とする請求項１記載の高周波デジタル信号ケーブル。
【請求項１２】
前記変換ボード上には、表裏２面の第１の表面および第２の表面が形成され、前記第１の表面上には第１の接点群およびジャンパ線群がそれぞれ設けられ、前記第１の接点群およびジャンパ線群は他側のリード接点群に接続されて一線に配列され、前記第２の表面には第２の接点群が設けられ、前記第２の接点群は前記変換ボードを貫通して第１の表面の前記ジャンパ線群と電気的に接続されることを特徴とする請求項１１記載の高周波デジタル信号ケーブル。
【考案の詳細な説明】
【技術分野】
【０００１】
本考案は、高周波デジタル信号ケーブルを提供するものであり、特に、ケーブル内に複数の平行に配列された芯線が設けられ、ケーブルの扁平形の高周波信号線と高周波コネクタプラグの変換ボードの片面との接続を自動化でき、大量生産を可能にしてコストを低減でき、適応性および信号伝送品質を高めることができる高周波デジタル信号ケーブルに関する。
【背景技術】
【０００２】
近年、音声信号および映像信号の応用領域は益々進歩しており、例えば、映像ディスク、デジタル多機能ディスク、高精細度のデジタルテレビ、テレビ電話およびテレビ会議装置などが我々の生活の中に浸透している。従来技術と比較して、これらの新しいシステムの特徴は全てオールデジタルの方式で音声および映像データが処理されることにあり、様々な領域からの要求に応じて、関連する標準の制定、修正および更新が行なわれており、使用者に更なる高品質を提供するために、デジタル信号の伝送（非圧縮）速度は更なる改善および高速化が求められている。
【０００３】
ディスプレイポート、ＤＶＩおよびＨＤＭＩはデジタル映像信号のインターフェースの標準規格であり、デジタル化された信号伝送によって電子装置に表示される画面の品質を強化することができ、アダプタ、セットトップボックス、ＤＶＤ再生装置、パーソナルコンピュータ、テレビゲーム、マルチアンプおよびデジタル音響装置などの装置と接続することができ、伝送速度が高く、伝送距離が長く、高品質であるので、広く使用されている。
【０００４】
ディスプレイポート、ＤＶＩおよびＨＤＭＩのコネクタに使用されるケーブルはその多くが円形または扁平形の構造であり、ケーブル内の伝送線とコネクタプラグの端子とを溶接するとき、プラグに設置された回路基板を通じて接続されるが、一般のコネクタの上下２段配列の各端子の定義と、回路基板上の各接点の定義と、伝送線の各接続パッドの定義とは異なり、伝送線を回路基板に対応付けて接続するとき、伝送線の端部を接点と対応付けられたピンの状況に応じて予め接続する必要がある。従って、撚り合わされた各伝送線を１本ずつ回路基板上の対応する接点に対応付けて接続する必要があり、そうすることによってその後の溶接作業を行うことができるようになるので、加工工程が非常に複雑なものとなり、組立時間が長くなり、組立コストも上昇し、加工を自動化することができなかった。また、伝送線を交互に巻き付けることによって、信号伝送品質も劣化してしまう。
【０００５】
従って、如何にして上述の従来技術の欠点を解決するかは当該技術に従事する者が改善したかった研究課題であった。
【０００６】
本考案の考案者は従来技術の欠点に鑑み、長年に渡る研究および幾度もの改良の結果、ついに本考案の高周波デジタル信号ケーブルを案出した。
【特許文献１】特開２００２−１５７０５６号公報
【考案の開示】
【考案が解決しようとする課題】
【０００７】
本考案の第１の目的は、ケーブル内に複数の平行に配列された芯線が設けられ、各芯線外周には絶縁層がそれぞれ被覆され、複数の絶縁層外周には電磁干渉を遮蔽する遮蔽層が設置され、遮蔽層外周には保護層が被覆され、ケーブルの扁平形の高周波信号線と高周波コネクタプラグの変換ボードとが接続され、ケーブルの芯線を変換ボード一側のリード接点群に対応付けて接続するとき、自動溶接治具を利用して片面の溶接を行うことができ、それによって加工を自動化でき、大量生産を可能にしてコストを低減し、適応性および信号伝送品質を高めることができる高周波デジタル信号ケーブルを提供することにある。
本考案の第２の目的は、プラグの上下段の端子間に変換ボードが接合され、変換ボード上には、第１の接点群およびリード接点群を有する第１の表面と、第２の接点群を有する第２の表面と、を有し、第１の接点群は上段の端子に対応付けて接続することができ、第２の接点群は下段の端子に対応付けて接続することができ、第１の接点群は変換ボードを貫通してジャンパ線を形成し、第２の表面の第２の接点群と電気的に接触し、第１の接点と接続されたリード接点群にはケーブルの芯線のピンが対応付けられて溶接され、上述の構造によって芯線のピンの定義をプラグ内の上下段の端子のピンの定義に符合させることができ、製造をモジュール化してコストを大幅に低減し、製品の付加価値を高めることができる高周波デジタル信号ケーブルを提供することにある。
【課題を解決するための手段】
【０００８】
上記課題を解決するために、請求項１の考案は、ケーブルの扁平形の高周波信号線と高周波プラグ上の変換ボードの片面との接続の自動化が可能な高周波デジタル信号ケーブルであり、ケーブル内には複数の平行に配列された芯線が設けられ、各芯線外周には絶縁層が被覆され、複数の絶縁層外周には電磁干渉を遮蔽する遮蔽層が一層設置され、遮蔽層外周には保護層が被覆されることを特徴とする高周波デジタル信号ケーブルである。
【０００９】
請求項２の考案は、ケーブルの芯線は、１９本設置され、ＨＤＭＩコネクタの雄プラグに対応付けられて接続されることを特徴とする請求項１記載の高周波デジタル信号ケーブルである。
【００１０】
請求項３の考案は、ケーブルの芯線は、２０本設置され、ディスプレイポートコネクタの雄プラグに対応付けられて接続されることを特徴とする請求項１記載の高周波デジタル信号ケーブルである。
【００１１】
請求項４の考案は、ケーブルの芯線は、少なくとも２４本設置され、ＤＶＩに関連する規格のコネクタの雄プラグに対応付けられて接続されることを特徴とする請求項１記載の高周波デジタル信号ケーブルである。
【００１２】
請求項５の考案は、ケーブルの芯線は、可撓性を有するアルミニウム、鉄または銅材料からなることを特徴とする請求項１記載の高周波デジタル信号ケーブルである。
【００１３】
請求項６の考案は、ケーブルの絶縁層は、熱可塑性エラストマーまたはポリエチレン材料からなることを特徴とする請求項１記載の高周波デジタル信号ケーブルである。
【００１４】
請求項７の考案は、ケーブルの遮蔽層は、アルミ箔の被覆、銅線の巻設または銅線の編織などによって構成されることを特徴とする請求項１記載の高周波デジタル信号ケーブルである。
【００１５】
請求項８の考案は、ケーブルの保護層は、ポリ塩化ビニル、ポリエチレン、ポリエチレンテレフタレートまたはポリピレン材料からなることを特徴とする請求項１記載の高周波デジタル信号ケーブルである。
【００１６】
請求項９の考案は、ケーブルの芯線外周の絶縁層の隣には、遮蔽層と接触するアース導電線が設けられることを特徴とする請求項１記載の高周波デジタル信号ケーブルである。
【００１７】
請求項１０の考案は、アース導電線は、錫メッキ銅線、銅線または銀メッキ線からなることを特徴とする請求項９記載の高周波デジタル信号ケーブルである。
【００１８】
請求項１１の考案は、ケーブルの芯線は、プラグの変換ボード上に設置されたリード接点群に対応付けられて接続されることを特徴とする請求項１記載の高周波デジタル信号ケーブルである。
【００１９】
請求項１２の考案は、変換ボード上には、第１の表面および第２の表面が形成され、第１の表面上には第１の接点群およびジャンパ線群がそれぞれ設けられ、第１の接点群およびジャンパ線群は他側のリード接点群まで接続されて一配列を形成し、第２の表面には第２の接点群が設けられ、第２の接点群は変換ボードを貫通して第１の表面のジャンパ線群と電気的に接続されることを特徴とする請求項１１記載の高周波デジタル信号ケーブルである。
【考案の効果】
【００２０】
本考案は、ケーブル内に複数の平行に配列された芯線が設けられ、各芯線外周には絶縁層が被覆され、複数の絶縁層外周には電磁干渉を遮蔽する遮蔽層が一層設置され、遮蔽層外周には保護層が被覆され、扁平形の高周波信号線と高周波プラグとが接続され、高周波プラグとケーブルとの間は変換ボードを通じて対応付けられて接続され、変換ボードの構造によって、芯線のピンの定義をプラグ上下段の端子の定義に符合させて対応付けて溶接することができ、一度の片面の溶接で接続を完成させることができるので、加工の自動化による大量生産を実現でき、組立コストを低減でき、適応性を高め、信号伝送品質を高めることができる。また、本考案の扁平形の高周波信号線と高周波プラグとを接続するとき、ケーブルの複数の芯線を直接プラグ上の変換ボードのリード接点群に対応付けて接続することができ、その後、変換ボード他側の第１の接点群および第２の接点群とプラグに設けられた上下段の端子とが接続され、それによって、芯線のピンの定義をプラグ内の端子ピンの定義に符合させて対応付けて溶接することができ、一度の片面の溶接で接続を完成させることができるので、加工の自動化による大量生産を実現でき、組立コストを低減でき、適応性を高め、信号伝送品質を高めることができる。
【考案を実施するための最良の形態】
【００２１】
本考案の目的、特徴および効果を示す実施例を図に沿って詳細に説明する。
【００２２】
図１は、本考案のケーブルの斜視図である。図２は、本考案のケーブルの正面断面図である。図から分かるように、本考案の高周波デジタル信号ケーブル１の構造は、複数の平行に配列された芯線１１が設けられ、各芯線１１外周には絶縁層１２がそれぞれ被覆され、複数の絶縁層１２外周には電磁干渉を遮蔽する遮蔽層１３が一層設置され、遮蔽層１３外周には保護層１４が被覆されて、扁平形の高周波信号線が形成される。
【００２３】
上述の芯線は、可撓性を有するアルミニウム、鉄または銅材料からなる。絶縁層１２、は熱可塑性エラストマー（ＴＰＥ）またはポリエチレン（ＰＥ）などの絶縁材料からなる。遮蔽層１３は、アルミ箔の被覆、銅線の巻設または銅線の編織などによって構成される。保護層１４は、ポリ塩化ビニル（ＰＶＣ）、ポリエチレン（ＰＥ）、ポリエチレンテレフタレート（ＰＥＴ）またはプロピレン（ＰＲＯＰＹＬＥＮＥ）材料からなる。
【００２４】
図３は、本考案の実施例を示す斜視図である。図４は、図３の他の角度からの斜視図である。図５は、本考案の組立後の状態を示す斜視図である。図６は、本考案の実施例のピンを示す回路図である。図に示すように、上述のケーブル１は、高周波コネクタプラグ２と接続され、プラグ２一側の対接端２１は外周の電子装置（図示せず）と接続され、対接端２１の他端には変換ボード３が接合される溶接端２２が設置される。プラグ２内には導電端子群２３が設けられ、導電端子群２３は上下段の第１の端子群２３１および第２の端子群２３２から構成される。変換ボード３上には表裏2面の第１の表面３１および第２の表面３２が形成され、第１の表面３１上には第１の接点群３１１およびジャンパ線群３１３がそれぞれ設けられ、第１の接点群３１１およびジャンパ線群３１３は他側のリード接点群３１２まで接続され、ケーブル１の芯線１１の片面が溶接される。第２の表面３２には第２の接点群３２１が設けられ、第２の接点群３２１は変換ボード３を貫通し、第１の表面３１のジャンパ線群３１３と電気的に接続され、第１の接点群３１１に接続されたリード接点群３１２にケーブル１の芯線１１のピンが対応付けられて溶接され、このようにして本考案の構造配置が完成される。
【００２５】
上述の構造によって、ケーブル１の芯線１１と変換ボード３のリード接点群３１２とが対応付けられて接続された後、自動溶接治具によって片面の溶接作業を行うことができ、自動化による大量生産が実現でき、適応性およびコスト低減を達成する。
【００２６】
上述のケーブル１内の複数の芯線１１には１９本のピンが同一平面に配列され、１から１９までのピンは、ＧＮＤ−２、２＋、２−、ＧＮＤ−１、１＋、１−、ＧＮＤ−０、０＋、０−、ＧＮＤ−Ｃ、Ｃ＋、Ｃ−、ＣＥＣ、ＮＣ、ＳＣＬ、ＳＤＡ、ＧＮＤ、＋５Ｖ、ＨＰＤであり、これらのピンが変換ボード３のリード接点群３１２に対応付けられて接続される。高周波プラグ２端の導電端子群２３のピンはＨＤＭＩプラグ２とすると、その１から１９までのピンは、２＋、ＧＮＤ−２、２−、１＋、ＧＮＤ−１、１−、０＋、ＧＮＤ−０、０−、Ｃ＋、ＧＮＤ−Ｃ、Ｃ−、ＣＥＣ、ＮＣ、ＳＣＬ、ＳＤＡ、ＧＮＤ、＋５Ｖ、ＨＰＤであり、これらのピンが変換ボード３の第１の表面３１の第１の接点群３１１および第２の表面３２の第２の接点群３２１に対応付けられて接続される（図３、４、６に示す）。
【００２７】
本考案の高周波プラグ２は、ディスプレイボード、ＤＶＩまたはＨＤＭＩプラグなどとすることができ、ＤＶＩなどの規格のプラグ２のときは、三段で少なくとも２４本のピンを有し、ディスプレイポードのプラグ２のときは、二段で２０本のピンを有し、ＨＤＭＩのプラグ２のときは、二段で１９本のピンを有し、それらは全て変換ボード３を通じて対応する接点と接続することができ、ピンをお互いに接触しないようにして、挿入またはＳＭＴ実装の方式の設計にすればよい。
【００２８】
本考案の高周波デジタル信号ケーブル１を高周波コネクタプラグ２と接続するとき、変換ボード３により対応付けて溶接することができ、変換ボード３およびプラグ２端または変換ボード３およびケーブル１端の設計をモジュール化し、プラグ２のピンまたはケーブル１のピンを任意に変更することができ、変換ボード３を利用することによって対応付けて接続することができる。また、ケーブル１は扁平形のものを使用することができ、ケーブル１の芯線１１が各種ピン規格で設計されたとき、変換ボード３のリード接点群３１２を通じて対応する規格に符合させることができ、適用性、拡張性および市場における需要を高めることができ、生産をモジュール化することによってコストを大幅に低減でき、製品の付加価値を高めることができる。また、リード接点群３１２のピンが異なるために、芯線１１を交差させてより合わせ、対応付けて溶接する必要がないので、組立時間を短縮し、直接対応づけて溶接作業を行うことができる。
【００２９】
高周波プラグ２の対接端２１が電子製品と接続されて信号の伝送が行われるとき、変換ボード３上に設置された金属アース面３３によって変換ボード３上下表面の各伝送回路に干渉が発生するのを防止でき（図４を参照）、クロストークノイズの発生を低減でき、変換ボード３自身が電磁波を隔絶する機能を有するので、変換ボード３が上下表面の各伝送回路の干渉を防止するとき、更に優れた効果を発揮することができる。
【００３０】
図７に示すように、本考案のプラグ２内の導電端子群２３上下段の第１の端子群２３１と第２の端子群２３２との間は変換ボード３の厚さに対応させて設計することができ、溶接端２２に露出する上下段の端子は水平に配列した状態であり、変換ボード３を上下段の端子間に対応させて組立てるとき、各端子を変換ボード３の上下表面の接点に対応付けることができ、加工作業を行って上下段の端子を湾曲させて変換ボード３上下表面の接点に対応付ける必要がないので、簡単に溶接作業を行うことができ、自動化による大量生産を実現でき、適応性を高め、コストを低減することができる。
【００３１】
上述のケーブル１内には錫メッキ銅線（ＴＩＮＮＥＤ  ＣＯＰＰＥＲ  ＷＩＲＥ）、銅線または銀メッキ線からなるアース導電線１５を設け、アース導電線１５は芯線１１外周の絶縁層１２の隣に設置され、遮蔽層１３と接触する。変換ボード３上には第１の接点群３１１と第２の接点群３２１とを接続する導電孔３４（図４に示す）が設けられ、導電孔３４は第１の接点群３１１のジャンパ線群３１３末端に設置され、変換ボード３を貫通して第２の接点群３２１と接続される。また、導電孔３４を利用した接続構造によって、ケーブル１内のアース導電ケーブル１５を金属アース面３３に接続されてクロストークノイズは除去され、信号がコネクタを通じて電子製品に伝送されるとき、信号はクリアな状態を保つことができ、電子製品は鮮明な画面を表示することができる。
【００３２】
上述の説明におけるプラグ２外周には金属製の遮蔽ケーシング２４（図４を参照）を被覆して外周からの電磁波干渉を防止する。本考案の高周波プラグ２は、雄型プラグの高周波コネクタを使用した場合を例としているが、本考案を実際に応用するとき、雄型プラグだけでなく、雌型プラグに応用することもできる。
【００３３】
本考案の保護されるべき重点として、ケーブル１内に複数の平行に配列された芯線１１が設けられ、各芯線１１外周には絶縁層１２が被覆され、複数の絶縁層１２外周には電磁干渉を遮蔽する遮蔽層１３が一層設置され、遮蔽層１３外周には保護層１４が被覆され、扁平形の高周波信号線と高周波プラグ２とが接続され、高周波プラグ２とケーブル１との間は変換ボード３を通じて対応付けられて接続され、変換ボード３の構造によって、芯線１１のピンの定義をプラグ２上下段の端子の定義に符合させて対応付けて溶接することができ、一度の片面の溶接で接続を完成させることができるので、加工の自動化による大量生産を実現でき、組立コストを低減でき、適応性を高め、信号伝送品質を高めることができる。本考案において採用された原理および同等効果の構造の変更はすべて本考案の実用新案登録請求の範囲に含まれる。
【００３４】
本考案の高周波デジタル信号ケーブルが従来技術を改善できる技術として、本考案のケーブル１は、扁平形の高周波信号線と高周波プラグ２とを接続するとき、ケーブル１の複数の芯線１１を直接プラグ２上の変換ボード３のリード接点群３１２に対応付けて接続し、その後、変換ボード３他側の第１の接点群３１１および第２の接点群３２１とプラグ２に設けられた上下段の端子とが接続され、それによって、芯線１１のピンの定義をプラグ２内の端子ピンの定義に符合させて対応付けて溶接することができ、一度の片面の溶接で接続を完成させることができるので、加工の自動化による大量生産を実現でき、組立コストを低減でき、適応性を高め、信号伝送品質を高めることができる。
【００３５】
上述の詳細な説明は、本考案の好適な実施例を示したものであり、本考案の実用新案登録請求の範囲を限定するものではなく、本考案の主旨を逸脱しない範囲における同等効果の変更および修飾はすべて本考案の実用新案登録請求の範囲に含まれる。
【００３６】
上述のように、本考案の高周波デジタル信号ケーブルを使用するとき、上述の効果および目的を確実に達成することができる。
【図面の簡単な説明】
【００３７】
【図１】本考案のケーブルを示す斜視図である。
【図２】本考案のケーブルを示す正面断面図である。
【図３】本考案の実施例を示す分解斜視図である。
【図４】図３の他の角度からの分解斜視図である。
【図５】本考案の組立後の状態を示す斜視図である。
【図６】本考案の実施例のピンを示す回路図である。
【図７】本考案の他の実施例を示す分解斜視図である。
【符号の説明】
【００３８】
１  ケーブル
１１  芯線
１２  絶縁層
１３  遮蔽層
１４  保護層
１５  アース導電線
２  プラグ
２１  対接端
２２  溶接端
２３  導電端子群
２３１  第１の端子群
２３２  第２の端子群
２４  遮蔽ケーシング
３  変換ボード
３１  第１の表面
３１１  第１の接点群
３１２  リード接点群
３１３  ジャンパ線群
３２  第２の表面
３２１  第２の接点群
３３  金属アース面
３４  導電孔
【図１】
0003144001.tif 000003
【図２】
0003144001.tif 000004
【図３】
0003144001.tif 000005
【図４】
0003144001.tif 000006
【図５】
0003144001.tif 000007
【図６】
0003144001.tif 000008
【図７】
0003144001.tif 000009
【手続補正書】
【提出日】平成20年6月11日(2008.6.11)
【手続補正１】
【補正対象書類名】実用新案登録請求の範囲
【補正対象項目名】請求項２
【補正方法】変更
【補正の内容】
【請求項２】
前記ケーブルの芯線は、１９本設けられ、ＨＤＭＩ（登録商標）コネクタの雄プラグに対応付けられて接続されることを特徴とする請求項１記載の高周波デジタル信号ケーブル。
【手続補正２】
【補正対象書類名】明細書
【補正対象項目名】０００３
【補正方法】変更
【補正の内容】
【０００３】
ディスプレイポート、ＤＶＩおよびＨＤＭＩ（登録商標）はデジタル映像信号のインターフェースの標準規格であり、デジタル化された信号伝送によって電子装置に表示される画面の品質を強化することができ、アダプタ、セットトップボックス、ＤＶＤ再生装置、パーソナルコンピュータ、テレビゲーム、マルチアンプおよびデジタル音響装置などの装置と接続することができ、伝送速度が高く、伝送距離が長く、高品質であるので、広く使用されている。
【手続補正３】
【補正対象書類名】明細書
【補正対象項目名】０００４
【補正方法】変更
【補正の内容】
【０００４】
ディスプレイポート、ＤＶＩおよびＨＤＭＩ（登録商標）のコネクタに使用されるケーブルはその多くが円形または扁平形の構造であり、ケーブル内の伝送線とコネクタプラグの端子とを溶接するとき、プラグに設置された回路基板を通じて接続されるが、一般のコネクタの上下２段配列の各端子の定義と、回路基板上の各接点の定義と、伝送線の各接続パッドの定義とは異なり、伝送線を回路基板に対応付けて接続するとき、伝送線の端部を接点と対応付けられたピンの状況に応じて予め接続する必要がある。従って、撚り合わされた各伝送線を１本ずつ回路基板上の対応する接点に対応付けて接続する必要があり、そうすることによってその後の溶接作業を行うことができるようになるので、加工工程が非常に複雑なものとなり、組立時間が長くなり、組立コストも上昇し、加工を自動化することができなかった。また、伝送線を交互に巻き付けることによって、信号伝送品質も劣化してしまう。
【手続補正４】
【補正対象書類名】明細書
【補正対象項目名】０００９
【補正方法】変更
【補正の内容】
【０００９】
請求項２の考案は、ケーブルの芯線は、１９本設置され、ＨＤＭＩ（登録商標）コネクタの雄プラグに対応付けられて接続されることを特徴とする請求項１記載の高周波デジタル信号ケーブルである。
【手続補正５】
【補正対象書類名】明細書
【補正対象項目名】００２６
【補正方法】変更
【補正の内容】
【００２６】
上述のケーブル１内の複数の芯線１１には１９本のピンが同一平面に配列され、１から１９までのピンは、ＧＮＤ−２、２＋、２−、ＧＮＤ−１、１＋、１−、ＧＮＤ−０、０＋、０−、ＧＮＤ−Ｃ、Ｃ＋、Ｃ−、ＣＥＣ、ＮＣ、ＳＣＬ、ＳＤＡ、ＧＮＤ、＋５Ｖ、ＨＰＤであり、これらのピンが変換ボード３のリード接点群３１２に対応付けられて接続される。高周波プラグ２端の導電端子群２３のピンはＨＤＭＩ（登録商標）プラグ２とすると、その１から１９までのピンは、２＋、ＧＮＤ−２、２−、１＋、ＧＮＤ−１、１−、０＋、ＧＮＤ−０、０−、Ｃ＋、ＧＮＤ−Ｃ、Ｃ−、ＣＥＣ、ＮＣ、ＳＣＬ、ＳＤＡ、ＧＮＤ、＋５Ｖ、ＨＰＤであり、これらのピンが変換ボード３の第１の表面３１の第１の接点群３１１および第２の表面３２の第２の接点群３２１に対応付けられて接続される（図３、４、６に示す）。
【手続補正６】
【補正対象書類名】明細書
【補正対象項目名】００２７
【補正方法】変更
【補正の内容】
【００２７】
本考案の高周波プラグ２は、ディスプレイボード、ＤＶＩまたはＨＤＭＩ（登録商標）プラグなどとすることができ、ＤＶＩなどの規格のプラグ２のときは、三段で少なくとも２４本のピンを有し、ディスプレイポードのプラグ２のときは、二段で２０本のピンを有し、ＨＤＭＩ（登録商標）のプラグ２のときは、二段で１９本のピンを有し、それらは全て変換ボード３を通じて対応する接点と接続することができ、ピンをお互いに接触しないようにして、挿入またはＳＭＴ実装の方式の設計にすればよい。